(57)【要約】      （修正有）【課題】導電シートを介して絶縁本体に作用する外力を抑制でき、絶縁本体の破損又は絶縁本体に過大な応力が生じることを防止できる太陽電池用接続箱の導電性モジュールを提供する。【解決手段】太陽電池用接続箱の導電性モジュールは、絶縁本体１と、導電シート２、ダイオードチップを備え、二枚だけを有する導電シート２は、ダイオードチップによって電気接続され、ダイオードチップは絶縁本体１の内部に設けられ、二枚の導電シート２にはそれぞれ長尺状の貫通孔が設けられ、貫通孔両端は導電シート２エッジに近寄っており、絶縁本体１と導電シート２を互いに固定する絶縁本体１両側縁が貫通孔と重なり、絶縁本体１と導電シート２との連接エリアが貫通孔の端部と導電シートエッジとの間のエリアＰだけとされ、貫通孔はその一部が絶縁本体１内部に位置し、他部が絶縁本体１の外部に位置し、絶縁本体１両側縁とはループ状のバスバー溶接孔４を形成している。【選択図】図１
2019126250.tif 000002
【特許請求の範囲】
【請求項１】
絶縁本体と、導電シートおよびダイオードチップを備え、二枚だけを有する前記導電シートは、ダイオードチップによって電気接続されており、ダイオードチップは絶縁本体の内部に設けられている太陽電池用接続箱の導電性モジュールにおいて、
前記二枚の導電シートにはそれぞれ長尺状の貫通孔が設けられており、貫通孔の両端は導電シートのエッジに近寄っており、前記絶縁本体と導電シートを互いに固定するための絶縁本体の両側縁が貫通孔と重なり、絶縁本体と導電シートとの連接エリアが貫通孔の端部と導電シートエッジとの間のエリアだけとされ、前記貫通孔はその一部が絶縁本体の内部に位置し、他部が絶縁本体の外部に位置し、且つ絶縁本体の両側縁とはループ状のバスバー溶接孔を形成していることを特徴とする太陽電池用接続箱の導電性モジュール。
【請求項２】
請求項１に記載の太陽電池用接続箱の導電性モジュールにおいて、
前記絶縁本体はダイオードチップと両貫通孔の間における一部の導電シートの外側を覆うように構成され、絶縁本体は導電シートを境として上下二つの部分に分けられ、ダイオードチップは絶縁本体の上部に位置し、絶縁本体の下部はその縦断面が逆台形に形成され、バスバー溶接孔に近寄る絶縁本体の下部における両側辺が傾斜面となっていることを特徴とする太陽電池用接続箱の導電性モジュール。
【請求項３】
請求項１に記載の太陽電池用接続箱の導電性モジュールにおいて、
前記ダイオードチップは１枚の導電シートに設けられ、ダイオードチップはジャパー線を介してもう１枚の導電シートに接続され、ダイオードチップは二枚の導電シートの中心位置に位置していることを特徴とする太陽電池用接続箱の導電性モジュール。
【発明の詳細な説明】
【技術分野】
【０００１】
本発明は、太陽電池技術分野に属し、特に太陽電池用接続箱の導電性モジュールに関する。
【背景技術】
【０００２】
太陽電池は「太陽エネルギーチップ」あるいは「光電池」とも呼ばれ、太陽光を利用して直接発電する光電半導体シートである。一定の照度条件を満たす光により照らされれば、電圧が瞬間に出力でき、回路さえあれば電流が生じるようになる。太陽エネルギーモジュールを構成するものには接続箱が非常に重要なものであり、その主な役割が太陽電池より生じた電力を外部回路へ接続させる。
【発明の概要】
【発明が解決しようとする課題】
【０００３】
従来の接続箱にはダイオード、導電シートおよびはんだがあり、ダイオード部品が単独で作られ、導電シートも単独で作られ、ダイオードのチップがダイオードの正負極端子に半田付けされてから、ポッティング剤によってダイオードにモールドされ、ダイオードの端子が再び導電シート上に半田付けされる。製造工程において、ダイオードの半田付けは労力、物資および生産資源を大量に費やす必要があるとともに、ダイオードチップと導電シートの間には２回半田付けされるため、熱伝導特性を低下させることで、接続箱が発熱して損壊しやすくなる。
【課題を解決するための手段】
【０００４】
本発明の目的は、構造がより安定となり、取り付け、使用および交換がより容易となる太陽電池用接続箱の導電性モジュールを提供することにある。
本発明にかかる太陽電池用接続箱の導電性モジュールは、絶縁本体と、導電シートおよびダイオードチップを備え、二枚だけを有する前記導電シートは、ダイオードチップによって電気接続されており、ダイオードチップは絶縁本体の内部に設けられており、前記二枚の導電シートにはそれぞれ長尺状の貫通孔が設けられており、貫通孔の両端は導電シートのエッジに近寄っており、前記絶縁本体と導電シートを互いに固定するための絶縁本体の両側縁が貫通孔と重なり、絶縁本体と導電シートとの連接エリアが貫通孔の端部と導電シートエッジとの間のエリアだけとされ、前記貫通孔はその一部が絶縁本体の内部に位置し、他部が絶縁本体の外部に位置し、且つ絶縁本体の両側縁とはループ状のバスバー溶接孔を形成している。
【０００５】
好ましくは、前記絶縁本体はダイオードチップと両貫通孔の間における一部の導電シートの外側を覆うように構成され、絶縁本体は導電シートを境として上下二つの部分に分けられ、ダイオードチップは絶縁本体の上部に位置し、絶縁本体の下部はその縦断面が逆台形に形成され、バスバー溶接孔に近寄る絶縁本体の下部における両側辺が傾斜面となっている。
【０００６】
好ましくは、前記ダイオードチップは１枚の導電シートに設けられ、ダイオードチップはジャパー線を介してもう１枚の導電シートに接続され、ダイオードチップは二枚の導電シートの中心位置に位置している。
【０００７】
本発明では絶縁本体はちょうど導電シートにおける貫通孔の位置で覆うよう構成され、貫通孔の一部が絶縁本体の内部に位置し、貫通孔の他部が絶縁本体の外部に位置しているため、絶縁本体と導電シートの連接エリアは貫通孔の端部と導電シートエッジとの間における４つの小さいエリアとなり、導電シートを介して絶縁本体に作用する外力を効果的に抑制することができ、絶縁本体の破損又は絶縁本体に過大な応力が生じることを防止することができる。また、絶縁本体の縁と導電シートから露出した半分の貫通孔はループ状のバスバー溶接孔が形成され、絶縁本体の下部は一定の傾斜面が形成されているため、バスバーがずれなく設けられることができ、モジュールのバスバー溶接エリアは製品の中間位置に設置されているため、バスバーの溶接が更に容易となる。また、ダイオードチップは製品の中心位置に近寄るよう位置しているため、熱が効果的に周辺へ伝達することができる。
【図面の簡単な説明】
【０００８】
【図１】本発明の構造を示す概略図である。
【図２】図１におけるＡ−Ａ線の断面図である。
【図３】本発明の内部構造を示す概略図である。
【発明を実施するための形態】
【０００９】
図面に従って本発明の実施形態を詳細に説明する。
本実例の太陽電池用接続箱の導電性モジュールは、絶縁本体１と、導電シート２およびダイオードチップ３を備え、前記導電シート２は、二枚だけを有し、ダイオードチップ３によって電気接続されており、ダイオードチップ３は絶縁本体１の内部に設けられており、前記二枚の導電シートにはそれぞれ長尺状の貫通孔２１が設けられており、貫通孔の両端は導電シートのエッジに近寄っている。前記絶縁本体１と導電シート２を互いに固定するための絶縁本体１の両側縁が貫通孔２１と重なり、絶縁本体１と導電シート２との連接エリアが貫通孔２１の端部と導電シートエッジとの間の小さいエリアＰだけとされている。これによれば、導電シートを介して絶縁本体に作用する外力を効果的に抑制することができ、絶縁本体の破損又は絶縁本体に過大な応力が生じることを防止することができる。
【００１０】
また、前記貫通孔２１はその一部が絶縁本体１の内部に位置し、他部が絶縁本体１の外部に位置し、且つ絶縁本体の両側縁とはループ状のバスバー溶接孔４を形成している。
【００１１】
また、前記絶縁本体１はダイオードチップ３と両貫通孔２１の間における一部の導電シートの外側を覆うように構成され、絶縁本体は導電シートを境として上下二つの部分に分けられ、ダイオードチップ３は絶縁本体１の上部に位置し、絶縁本体の下部はその縦断面が逆台形に形成され、バスバー溶接孔４に近寄る絶縁本体の下部における両側辺が傾斜面１１となっている。これによれば、バスバーがずれなく設けられることができ、モジュールのバスバー溶接エリアは製品の中間位置に設置されているため、バスバーの溶接が更に容易となる。
【００１２】
さらに、前記ダイオードチップ３は１枚の導電シートに設けられ、ダイオードチップはジャパー線５を介してもう１枚の導電シートに接続され、ダイオードチップ３は二枚の導電シートの中心位置に位置している。これによれば、ダイオードチップは製品の中心位置に近寄るよう位置しているため、熱が効果的に周辺へ伝達することができる。
【符号の説明】
【００１３】
１…絶縁本体１、１１…傾斜面、２…導電シート、２１…貫通孔、３…ダイオードチップ、４…バスバー溶接孔、５…ジャパー線
【図１】
2019126250.tif 000003
【図２】
2019126250.tif 000004
【図３】
2019126250.tif 000005